【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  １１００以上の平均分子量を有する少なくとも１種の高分子界面活性化合物を含む高分子界面活性剤、および前記高分子界面活性化合物の平均分子量よりも、少なくとも４００小さく、かつ１１００以下の平均分子量を有する少なくとも１種の低分子界面活性化合物を含む低分子界面活性剤を含む水性処理液中において、固体粒子又は液体物質に懸濁処理を施すことを特徴とする、固体又は液体粒子水性懸濁液の製造方法。
【請求項２】  前記固体粒子又は液体物質を、前記高分子界面活性剤を含む水性処理液中において、第１懸濁処理し、次に、この水性懸濁液に、前記低分子界面活性剤を添加して、前記第１懸濁処理された粒子に、第２懸濁処理を施す、請求項１に記載の固体又は液体粒子水性懸濁液の製造方法。
【請求項３】  前記第１懸濁処理中又はその前、前記第１および第２懸濁処理の中間、或は前記第２懸濁処理中、又はその後に、無機塩および有機塩から選ばれた１種以上からなる懸濁安定剤を、前記水性処理液に添加する、請求項２に記載の固体又は液体粒子水性懸濁液の製造方法。
【請求項４】  前記固体粒子又は液体物質を、前記高分子界面活性剤を含む水性処理液に添加して、前記固体粒子又は液体物質に第１懸濁処理を施し、次にこの水性懸濁液に前記懸濁安定剤を添加して、前記第１懸濁処理された粒子に中間懸濁処理を施し、次に、この水性懸濁液に、前記低分子界面活性剤を添加して、前記懸濁中間処理された粒子に、さらに第２懸濁処理を施すことを特徴とする、請求項３に記載の固体又は液体粒子水性懸濁液の製造方法。
【請求項５】  前記固体粒子又は液体物質に、前記懸濁安定剤を含有する水性処理液中において懸濁前処理を施し、次にこの水性懸濁液に前記高分子界面活性剤を添加して、前記懸濁前処理された粒子に第１懸濁処理を施し、次に、この水性懸濁液に、前記低分子界面活性剤を添加して、前記第１懸濁処理された粒子に、さらに第２懸濁処理を施すことを特徴とする、請求項３に記載の固体又は液体粒子水性懸濁液の製造方法。
【請求項６】  前記固体粒子又は液体物質に、前記高分子界面活性剤を含む水性処理液中において第１懸濁処理を施し、次にこの水性懸濁液に前記低分子界面活性剤を添加して、前記第１懸濁処理された粒子に第２懸濁処理を施し、次に、この水性懸濁液に、前記懸濁安定剤を添加することを特徴とする、請求項３に記載の固体又は液体粒子水性懸濁液の製造方法。
【請求項７】  前記高分子界面活性化合物が１８００以上の平均分子量を有する、請求項１〜６のいずれか１項に記載の固体又は液体粒子水性懸濁液の製造方法。
【請求項８】  前記高分子界面活性化合物がその１分子当り２個以上のイオン基を含む、請求項１，２および７のいずれか１項に記載の固体又は液体粒子水性懸濁液の製造方法。
【請求項９】  前記固体粒子が１０００μｍ以下の平均粒径を有する、請求項１〜８のいずれか１項に記載の固体又は液体粒子水性懸濁液の製造方法。
【請求項１０】  前記懸濁安定剤が、アルカリ金属、アルカリ土類金属およびアンモニアの硫酸塩、硝酸塩、りん酸塩、塩化物および酢酸塩から選ばれた少なくとも１種からなる、請求項３〜６のいずれか１項に記載の固体又は液体粒子水性懸濁液の製造方法。
【請求項１１】  前記懸濁安定剤の添加量が、前記固体粒子又は液体物質重量に対して、０．１〜１０重量％である、請求項３〜６のいずれか１項に記載の固体又は液体粒子水性懸濁液の製造方法。
【請求項１２】  前記高分子界面活性剤が、１８００〜１，０００，０００の平均分子量を有する少なくとも１種の界面活性化合物からなる、請求項７に記載の固体又は液体粒子水性懸濁液の製造方法。
【請求項１３】  前記低分子界面活性剤が１００〜１１００の平均分子量を有する少なくとも１種の界面活性化合物からなる、請求項１又は２に記載の固体又は液体粒子水性懸濁液の製造方法。
【請求項１４】  前記高分子界面活性剤が、ノニオン系高分子界面活性化合物、アニオン系高分子界面活性化合物、カチオン系高分子界面活性化合物、ノニオン系高分子界面活性化合物とアニオン系高分子界面活性化合物との混合物、又はノニオン系高分子界面活性化合物とカチオン系高分子界面活性化合物との混合物から選ばれた１種以上からなる、請求項１又は２に記載の固体又は液体粒子水性懸濁液の製造方法。
【請求項１５】  前記ノニオン系高分子界面活性化合物が、ポリオキシプロピレン（重合数２〜２００）−ポリオキシエチレン（重合数２〜４００）ブロックポリマーから選ばれる、請求項１４に記載の固体又は液体粒子水性懸濁液の製造方法。
【請求項１６】  前記低分子界面活性剤が、ノニオン系低分子界面活性化合物、アニオン系低分子界面活性化合物、カチオン系低分子界面活性化合物、ノニオン系低分子界面活性化合物とアニオン系低分子界面活性化合物との混合物、又はノニオン系低分子界面活性化合物とカチオン系低分子界面活性化合物との混合物から選ばれた１種以上からなる、請求項１又は２に記載の固体又は液体粒子水性懸濁液の製造方法。
【請求項１７】  前記ノニオン系低分子界面活性化合物が、ポリオキシエチレン（重合数２〜２５）スチリルフェニルエーテル、ポリオキシエチレン（重合数２〜２５）アルキルアリ−ルエーテル、およびポリオキシエチレン（重合数２〜２５）アルキルエーテルから選ばれる、請求項１６に記載の固体又は液体粒子水性懸濁液の製造方法。
【請求項１８】  前記高分子界面活性剤がアニオン系高分子界面活性剤およびノニオン系高分子界面活性化合物から選ばれた１種以上からなり、前記低分子界面活性剤がアニオン系低分子界面活性化合物およびノニオン系低分子界面活性化合物から選ばれた１種以上からなる、請求項１又は２に記載の固体又は液体粒子水性懸濁液の製造方法。
【請求項１９】  前記高分子界面活性剤が、カチオン系高分子界面活性化合物およびノニオン系高分子界面活性化合物から選ばれた１種以上からなり、
前記低分子界面活性剤がカチオン系低分子界面活性化合物およびノニオン系低分子界面活性化合物から選ばれた１種以上からなる、
請求項１又は２に記載の固体又は液体粒子水性懸濁液の製造方法。
【請求項２０】  前記高分子および低分子界面活性剤の合計添加量が前記固体粒子又は液体物質の重量に対し、０．２〜１００重量％である、請求項１〜６のいずれか１項に記載の固体又は液体粒子水性懸濁液の製造方法。
【請求項２１】  前記高分子界面活性剤の添加量が、前記固体粒子又は液体物質の重量に対し０．１〜１０重量％である、請求項２０に記載の固体又は液体粒子水性懸濁液の製造方法。
【手続補正２】
【補正対象書類名】明細書
【補正対象項目名】０００９
【補正方法】変更
【補正の内容】
【０００９】
本発明の固体又は液体粒子水性懸濁液の製造方法は、１１００以上の平均分子量を有する少なくとも１種の高分子界面活性化合物を含む高分子界面活性剤、および前記高分子界面活性化合物の平均分子量よりも、少なくとも４００小さく、かつ１１００以下の平均分子量を有する少なくとも１種の低分子界面活性化合物を含む低分子界面活性剤を、含む水性処理液中において、固体粒子又は液体物質に懸濁処理を施すことを特徴とするものである。
本発明の固体又は液体粒子水性懸濁液の製造方法において、前記固体粒子又は液体物質に、前記高分子界面活性剤を含む水性処理液中において第１懸濁処理を施し、次にこの水性懸濁液に前記低分子界面活性剤を添加して、前記第１懸濁処理された粒子に、第２懸濁処理を施すことが好ましい。
本発明の固体又は液体粒子水性懸濁液の製造方法において、前記第１懸濁処理中又はその前、前記第１および第２懸濁処理の中間、或は前記第２懸濁処理中、又はその後に、無機塩および有機塩から選ばれた１種以上からなる懸濁安定剤を、前記水性処理液に添加してもよい。
上記本発明の固体又は液体粒子水性懸濁液の製造方法において、前記固体粒子又は液体物質を、前記高分子界面活性剤を含む水性処理液に添加して、前記固体粒子又は液体物質に第１懸濁処理を施し、次にこの水性懸濁液に前記懸濁安定剤を添加して、前記第１懸濁処理された粒子に中間懸濁処理を施し、次に、この水性懸濁液に前記低分子界面活性剤を添加して、前記懸濁中間処理された粒子に、さらに第２懸濁処理を施してもよい。
上記本発明の固体又は液体粒子水性懸濁液の製造方法において、前記固体粒子又は液体物質に、前記懸濁安定剤を含有する水性処理液中において懸濁前処理を施し、次にこの水性懸濁液に前記高分子界面活性剤を添加して、前記懸濁前処理された粒子に第１懸濁処理を施し、次に、この水性懸濁液に、前記低分子界面活性剤を添加して、前記第１懸濁処理された粒子に、さらに第２懸濁処理を施してもよい。
上記本発明の固体又は液体粒子水性懸濁液の製造方法において、前記固体又は液体粒子に、前記高分子界面活性剤を含む水性処理液中において第１懸濁処理を施し、次にこの水性懸濁液に前記低分子界面活性剤を添加して、前記第１懸濁処理された粒子に第２懸濁処理を施し、次に、この水性懸濁液に、前記懸濁安定剤を添加してもよい。
上記本発明の固体又は液体粒子水性懸濁液の製造方法において、前記高分子界面活性化合物が１８００以上の平均分子量を有することが好ましい。
上記本発明の固体又は液体粒子水性懸濁液の製造方法において、前記高分子界面活性化合物はその１分子当り２個以上のイオン基を含むものがあってもよい。